(57)【要約】      （修正有）【課題】遺体の腐敗及び臭気を簡単に抑制することができる低コストの有機体収納袋を提供し、さらに、上記有機体収納袋を用いて腐敗及び臭気を抑制しながら遺体を保存する方法を提供すること。【解決手段】遺体を収納するための有機体収納袋１は、遺体を出し入れするための開閉可能な開口３を有する透明な袋、上記袋本体２の内部の脱気処理を行うために上記袋に設けられた脱気口４、および上記袋に入れた遺体から生じるガスの臭気強度を低下させ外部に排出するために上記袋に設けられた活性炭筒５からなり、上記袋本体内には脱酸素剤９を備える。上記有機体収納袋を用いた遺体の保存方法は、上記有機体収納袋に遺体を入れて開口を閉じた後、上記脱気口を使用して脱気処理を行うことにより、遺体の腐敗および腐敗による臭気を抑制する。【選択図】  図２
2007111498.tif 000002
【特許請求の範囲】
【請求項１】
遺体を収納するための有機体収納袋であって、遺体を出し入れするための開閉可能な開口を有する透明な袋本体、上記袋本体の内部の脱気処理を行うために上記袋本体に設けられた脱気口、および上記袋本体に入れた遺体から生じるガスの臭気強度を低下させ外部に排出するために上記袋本体に設けられた開閉可能な活性炭筒からなり、上記袋本体内部には脱酸素剤を備えることを特徴とする有機体収納袋。
【請求項２】
上記活性炭筒には、酸性ガス用活性炭、塩基性ガス用活性炭および中性ガス用活性炭が直列に配置されることを特徴とする請求項１に記載の有機体収納袋。
【請求項３】
上記袋本体内部にアルコール揮散剤を備えることを特徴とする請求項１または２に記載の有機体収納袋。
【請求項４】
脱気処理の際に遺体の顔がつぶれないように、透明で硬質な材質からなる顔収納部を備えることを特徴とする請求項１から３のいずれか１項に記載の有機体収納袋。
【請求項５】
上記袋本体全体を覆う不透明なカバーを有することを特徴とする請求項１から４のいずれか１項に記載の有機体収納袋。
【請求項６】
遺体を出し入れするための開閉可能な上記開口が、袋本体の上面に設けられたことを特徴とする請求項１から５のいずれか１項に記載の有機体収納袋。
【請求項７】
請求項１から６のいずれか１項に記載の有機体収納袋を用いた遺体の保存方法であって、袋本体に設けられた開口から遺体を入れて開口を閉じ、上記脱気口を使用して袋本体内部の脱気処理を行い、袋本体内部に備えられた脱酸素剤により袋本体内部の酸素を除去して遺体の腐敗を抑制し、遺体よりガスが生じると活性炭筒を通してガスを排出することにより臭気を抑制することを特徴とする遺体の腐敗遅延および臭気抑制方法。
【請求項８】
上記袋本体に遺体と共に保冷剤を入れて遺体の腐敗および腐敗による臭気を抑制することを特徴とする請求項７に記載の遺体の腐敗遅延および臭気抑制方法。
【発明の詳細な説明】
【技術分野】
【０００１】
本発明は、災害や事故発生時の事故死等による遺体保存の際に、遺体の腐敗および腐敗による臭気を抑制することができる有機体収納袋および上記有機体収納袋を用いて遺体の腐敗遅延および腐敗による臭気抑制を行う方法に関する。
【背景技術】
【０００２】
地震、台風、火災等の災害や大きな事故等で多数の死者が出た場合、多数の遺体を死亡場所から遺体の保管場所まで搬送し、遺体を保存しておく必要がある。このような災害や事故による死亡の場合、遺体には大きな損傷を伴う場合が多く、保存や搬送の際にも十分な注意を要する。
【０００３】
遺体の簡易な保存方法としては、遺体を毛布で包んだり袋に入れて保存する方法がいられており、その状態で死亡場所から担架や台車、車にて遺体の保管場所に搬送を行われる場合が多い。この時に用いられる袋として、特許文献１に示すような死体収納袋が発明されている。これ以外にも、遺体の腐敗を防ぐための冷却装置を備えた死体収納袋等も発明として開示されている。
【特許文献１】実開平５−５６１２９
【発明の開示】
【発明が解決しようとする課題】
【０００４】
大きな災害や大事故による遺体は、損傷が激しい場合が多く、特に夏季には高温多湿等の気象条件により、遺体の腐敗の進行がさらに進み、それに伴って臭気が発生するという問題がある。
【０００５】
また多数の死者が出た場合には、全ての遺体を保管場所に搬送するには時間がかかり、現場において迅速な遺体の保存が求められるが、従来の収納袋等では、臭気の抑制が不充分であったり、冷却装置を稼動するための電源が常時必要であったり、装置が高価なために、多数の死者に対応するだけの数量を準備できないといった問題点があった。
【０００６】
本願発明は、簡単に遺体の腐敗及び臭気を抑制することができる低コストの有機体収納袋を提供することを目的とし、さらに、上記有機体収納袋を用いた遺体の腐敗遅延および臭気抑制方法を提供することを目的とする。
【課題を解決するための手段】
【０００７】
本願発明の有機体収納袋は、遺体を収納するための有機体収納袋であって、遺体を出し入れするための開閉可能な開口を有する透明な袋本体、上記袋本体の内部の脱気処理を行うために上記袋本体に設けられた脱気口、および上記袋本体に入れた遺体から生じるガスの臭気強度を低下させ外部に排出するために上記袋本体に設けられた開閉可能な活性炭筒からなり、上記袋本体内部には脱酸素剤を備えることを特徴とする。
【０００８】
そして、上記活性炭筒には、酸性ガス用活性炭、塩基性ガス用活性炭および中性ガス用活性炭が直列に配置されることが好ましい。
【０００９】
また、上記袋本体内部にアルコール揮散剤を備えることが好ましい。
【００１０】
脱気処理の際に遺体の顔がつぶれないように、透明で硬質な材質からなる顔収納部を備えることが好ましい。
【００１１】
上記袋本体全体を覆う不透明なカバーを有することが好ましい。
【００１２】
遺体を出し入れするための開閉可能な上記開口が、袋本体の上面に設けられたことが好ましい。
【００１３】
本願発明の遺体の腐敗遅延および臭気抑制方法は、上述の有機体収納袋を用いた遺体の保存方法であって、袋本体に設けられた開口から遺体を入れて開口を閉じ、上記脱気口を使用して袋本体内部の脱気処理を行い、袋本体内部に備えられた脱酸素剤により袋本体内部の酸素を除去して遺体の腐敗を抑制し、遺体よりガスが生じると活性炭筒を通してガスを排出することにより臭気を抑制することを特徴とする。
【００１４】
また、上記袋本体に遺体と共に保冷剤を入れて遺体の腐敗および腐敗による臭気を抑制することが好ましい。
【発明の効果】
【００１５】
本願発明の有機体収納袋は、遺体を収納するための有機体収納袋であって、遺体を出し入れするための開閉可能な開口を有する透明な袋本体、上記袋本体の内部の脱気処理を行うために上記袋本体に設けられた脱気口、および上記袋本体に入れた遺体から生じるガスの臭気強度を低下させ外部に排出するために上記袋本体に設けられた開閉可能な活性炭筒からなり、上記袋本体内部には脱酸素剤を備えることにより、遺体の腐敗及び遺体から発生する臭気を抑制することができる。
【００１６】
そして、上記活性炭筒には、酸性ガス用活性炭、塩基性ガス用活性炭および中性ガス用活性炭が直列に配置されることにより、遺体から発生する様々な種類のガスの臭気を効果的に抑制することができる。
【００１７】
上記袋本体内部にアルコール揮散剤を備えることにより、さらに腐敗の進行を抑制することができる
【００１８】
脱気処理の際に遺体の顔がつぶれないように、透明で硬質な材質からなる顔収納部を備えることにより、脱気処理を行った際に遺体の顔が変形するのを防ぐことができ顔の変形により遺体の確認ができなくなるのを防止する。
【００１９】
上記袋本体全体を覆う不透明なカバーを有することにより、遺体が全裸の場合、運搬する際に目隠しの役割をすることができる。
【００２０】
遺体を出し入れするための開閉可能な上記開口が、袋本体の上面に設けられたことにより、遺体の出し入れが容易になる。
【００２１】
本願発明の遺体の腐敗遅延および臭気抑制方法は、上述の有機体収納袋を用いた遺体の保存方法であって、袋本体に設けられた開口から遺体を入れて開口を閉じ、上記脱気口を使用して袋本体内部の脱気処理を行い、袋本体内部に備えられた脱酸素剤により袋本体内部の酸素を除去して遺体の腐敗を抑制し、遺体よりガスが生じると活性炭筒を通してガスを排出することにより臭気を抑制することにより、遺体の腐敗遅延および腐敗による臭気抑制を簡単にそして低コストで行うことが可能となる。
【００２２】
上記袋本体に遺体と共に保冷剤を入れて遺体の腐敗および腐敗による臭気を抑制することにより、さらに長い時間、遺体の保存が可能になる。
【発明を実施するための最良の形態】
【００２３】
本発明を図を用いて以下に詳細に説明する。図１は本発明の有機体収納袋１の平面図であり、図２は有機体収納袋１の斜視図である。
【００２４】
本発明の有機体収納袋１は、遺体６を出し入れするための開閉可能な開口３を有する透明な袋本体２、上記袋本体２の内部の脱気処理を行うために上記袋本体２に設けられた脱気口４、および上記袋本体２に入れた遺体６から生じるガスの臭気強度を低下させ外部に排出するために上記袋本体２に設けられた活性炭筒５からなり、袋本体２内部には脱酸素剤９を備えている。
【００２５】
遺体６から生じるガスの臭気は、アンモニア系（アンモニア等）、硫黄系（メチルメルカプタン、硫化水素、硫化メチル等）および有機酸系（イソ酪酸、ノルマル−及びイソ吉草酸等）に大別されるので、腐敗ガスも、アルカリ性、酸性および中性と様々なので、上記活性炭筒５には、酸性ガス用活性炭、塩基性ガス用活性炭および中性ガス用活性炭が直列に配置されており、各種の臭気に対応するようにしている。
【００２６】
開口３には、袋本体２に遺体６を出し入れするためのファスナーが設けてあり、本実施形態では袋本体２の側面に開口３を設けているが、開口３の位置は特に限定するものではなく、袋本体２の正面あるいは底面でも良い。
【００２７】
図８に示すのが開口３を袋本体２の上面に設けた場合の図である。開口３を袋本体２の上面に設けることにより、図８（ｂ）に示すように上から遺体６を出し入れすることができるので、遺体６の出し入れがスムーズになる。
【００２８】
脱気口４は掃除機等を使用して脱気処理を行うために開閉可能となっており、掃除機等をセットし脱気口４を開いて内部の空気を脱気した後、脱気口４を閉じて内部に空気が流入しないようにする。
【００２９】
袋本体２の材質としては、ＫＯＰ（ポリ塩化ビニリデンコートＯＰＰ）、ＰＶＦ（ポリフッ化ビニル）、ガスバリアナイロン、ガスバリアＰＥＴ等を用いる。ＫＯＰは、ＯＰＰ（二軸延伸ポリプロピレン）の片面または両面にポリ塩化ビニリデン（ＰＶＤＣ樹脂、サラン樹脂）をコートしたもので、ＰＶＤＣ樹脂をコートすることによってガスバリア性、防湿性、保香性などが優れたものとなっており、本発明の有機体収納袋１に求められる性質を満たすことができる。
【００３０】
ＰＶＦ（ポリフッ化ビニル）は機械的強度および耐候性に優れたフッ素樹脂であり、ガスバリアナイロンは二軸延伸成形により高強度で酸素バリア性に優れたナイロン樹脂である。また、ガスバリアＰＥＴは強度及びガスバリア性が大きく改良されたＰＥＴである。これらの材質は、本発明の有機体収納袋１に求められる強度やガスバリア性といった性質を満たすことができるものであり、全て透明な材質であるので、遺体６の状態を有機体収納袋１を開けることなくいつでも確認することができる。
【００３１】
袋本体２の内部には、遺体６の腐敗を抑制するために脱酸素剤９と共にアルコール揮散剤１０を入れておくことが好ましい。脱酸素剤９およびアルコール揮散剤１０により袋本体２内部の酸素を除去し、好気性菌の発生を抑制する。
【００３２】
脱酸素剤９は、袋本体２内の空気に含まれる酸素を吸収し、限りなく酸素ゼロに近い密閉空間を作り出すことにより、好気性菌の発生を抑制することができる。脱酸素剤９は鉄系又は有機系の自立反応型を用いる。脱酸素剤９は空気を透過する袋に必要量入ったものであり、この袋に入った脱酸素剤９を袋本体２内に必要量いれておく。このとき、袋本体２内に直接入れても良く、あるいは、脱酸素剤９を入れておくポケットを袋本体２内部に設けておいても良い。
【００３３】
アルコール揮散剤１０は、アルコールの抗菌力を利用した品質保持剤であり、アルコールが揮散することにより、好気性菌の発生を抑制することができる。アルコール揮散剤１０は空気を透過する袋に必要量入ったものであり、この袋に入ったアルコール揮散剤１０を袋本体２内に必要量いれておく。このとき、袋本体２内に直接入れても良く、あるいは、脱酸素剤９を入れておくポケットを袋本体２内部に設けておいても良い。
【００３４】
遺体６から発生するガスを活性炭筒５によって臭気強度を低下させて外部に排気するが、その時、発生するガスの臭気強度を４から１に低下させるだけの活性炭を活性炭筒５に用いれば、外部に排出されたガスの臭気が気ならない程度に抑制することができる。
【００３５】
以下に、遺体６の腐敗により発生する臭気の主な成分であるアンモニア、メチルメルカプタン、ノルマル酪酸の臭気強度を４から１に低下させるために活性炭がどの程度必要であるかを検討する。下記の表１は、アンモニア、メチルメルカプタン、ノルマル酪酸の臭気強度と濃度の関係を示す表である。ここでは、１ｍ×２ｍの大きさの有機体収納袋１を用いる。上記有機体収納袋１の容量は３１５Ｌとなる。
【００３６】
【表１】
2007111498.tif 000003
【００３７】
アンモニア（ＮＨ３）の臭気強度を４から１に低下させるのにどれだけアンモニアを活性炭で吸着すればよいかを求める。
臭気強度４（１０ｐｐｍ）の場合１袋当りの量
３１５Ｌ×１０ｐｐｍ＝３．１５ｍｌ
臭気強度１（０．１ｐｐｍ）の場合１袋当りの量
３１５Ｌ×０．１ｐｐｍ＝０．０３１５ｍｌ
アンモニアの臭気強度を４から１にするために必要な活性炭によるアンモニアの吸着量は、
３．１５−０．０３１５＝３．１２ｍｌ
となり、活性炭により有機体収納袋１の１袋当り３．１２ｍｌのアンモニアを吸着しなければならない。
活性炭の使用量を本実施形態では１００ｇ、平衡吸着量を２ｗｔ％とすると、有機体収納袋１における活性炭筒５の活性炭による吸着可能なアンモニアの量は、
１００ｇ×２ｗｔ％＝２ｇ≒０．１８ｍｏｌ≒４．０Ｌ
となる。
活性炭筒５の活性炭によるアンモニアの吸着可能な量は４．０Ｌとなり、この吸着可能な量は、先に求めた臭気強度を４から１に下げるために活性炭により吸着されなければならないアンモニアの量３．１２ｍｌよりもはるかに多いので、有機体収納袋１は遺体６の腐敗により生じるアンモニアを十分に吸着可能であることがわかる。
【００３８】
メチルメルカプタン（ＣＨ３ＳＨ）の臭気強度を４から１に低下させるのにどれだけメチルメルカプタンを活性炭で吸着すればよいかを求める。
臭気強度４（０．０３ｐｐｍ）の場合１袋当りの量
３１５Ｌ×０．０３ｐｐｍ＝９．４５μｌ
臭気強度１（０．０００１ｐｐｍ）の場合１袋当りの量
３１５Ｌ×０．０００１ｐｐｍ＝０．０３１μｌ
メチルメルカプタンの臭気強度を４から１にするために必要な活性炭による吸着量はメチルメルカプタンの吸着量は、
９．４５−０．０３１＝９．４２μｌ
となり、活性炭により有機体収納袋１の１袋当り９．４２μｌのメチルメルカプタンを吸着しなければならない。
活性炭の使用量を本実施形態では１００ｇ、平衡吸着量を０．６ｗｔ％とすると、有機体収納袋１における活性炭筒５の活性炭による吸着可能なメチルメルカプタンの量は、
１００ｇ×０．６ｗｔ％＝０．６ｇ≒０．０１２５ｍｏｌ≒０．２８Ｌ
となる。
活性炭筒５の活性炭によるメチルメルカプタンの吸着可能な量は０．２８Ｌとなり、この吸着可能な量は、先に求めた臭気強度を４から１に下げるために活性炭により吸着されなければならないメチルメルカプタンの量９．４２μｌよりもはるか多いので、有機体収納袋１は遺体６の腐敗により生じるメチルメルカプタンを十分に吸着可能であることがわかる。
【００３９】
ノルマル酪酸（Ｃ３Ｈ７ＣＯＯＨ）の臭気強度を４から１に低下させるのにどれだけノルマル酪酸を活性炭で吸着すればよいかを求める。
臭気強度４（０．０２ｐｐｍ）の場合１袋当りの量
３１５Ｌ×０．０２ｐｐｍ＝６．３μｌ
臭気強度１（０．０００１ｐｐｍ）の場合１袋当りの量
３１５Ｌ×０．０００１ｐｐｍ＝０．０３１μｌ
ノルマル酪酸の臭気強度を４から１にするために必要な活性炭によるノルマル酪酸の吸着量は、
６．３−０．０３１＝６．２μｌ
となり、活性炭により有機体収納袋１の１袋当り６．２μｌのノルマル酪酸を吸着しなければならない。
活性炭の使用量を本実施形態では１００ｇ、平衡吸着量を１１ｗｔ％とすると、有機体収納袋１における活性炭筒５の活性炭による吸着可能なノルマル酪酸の量は、
１００ｇ×１１ｗｔ％＝１１ｇ≒０．１２５ｍｏｌ≒２．８Ｌ
となる。
活性炭筒５の活性炭によるノルマル酪酸の吸着可能な量は、２．８Ｌとなり、この吸着可能な量は、先に求めた臭気強度を４から１に下げるために活性炭により吸着されなければならないノルマル酪酸の量６．２μｌよりもはるかに多いので、有機体収納袋１は遺体６の腐敗により生じるノルマル酪酸を十分に吸着可能である。
【００４０】
次に、脱気処理の際に遺体６の顔がつぶれないように、顔収納部７を備えた有機体収納袋１の実施形態について説明する。図３に示すのが本実施形態の有機体収納袋１である。
【００４１】
図３に示すように、上述の実施形態の有機体収納袋１の上部に顔収納部７が設けられている。顔収納部７は、遺体６の顔を収納するために透明で硬質な材質からなり、略円筒形をなしている。
【００４２】
遺体６を収納する時に、顔を顔収納部７に入れ、顔から下の体の部分は袋本体２に入れる。この状態で、脱気口４に掃除機等をセットし内部の脱気を行っても、顔収納部７は袋本体２よりも硬質な材質からなるので、袋本体２の部分がつぶれても、顔収納部７が完全につぶれることはない。これにより、遺体６の顔が変形することを防ぐことができる。
【００４３】
本発明の有機体収納袋１の袋本体２は透明な材質でできており、中に収納した遺体６が外から見えるので、遺体６が全裸であったり運搬の際に遺体６を隠す必要がある場合には、袋本体２を覆う不透明なカバーを掛けることができる。
【００４４】
カバーは、袋本体２よりも一回り大きい袋状のものでも良く、また有機体収納袋１全体を覆う１枚のカバーであってもよい。これらを用いて遺体６が直接見えないようにすることができ、さらに直射日光による腐敗の促進を押えることもできる。
【００４５】
次に、上述の有機体収納袋１を用いて遺体６の腐敗遅延および臭気抑制方法について説明する。
【００４６】
図２，４，５を用いて説明する。図４に示すように、まず有機体収納袋１の開口３のファスナーを開いて遺体６を収納する。この時、袋本体２内部に、脱酸素剤９およびアルコール揮散剤１０をセットしておく。遺体６収納後、ファスナーを閉めて、脱気口４に掃除機８をセットする（図５参照）。
【００４７】
脱気口４を開いて、掃除機８により袋本体２内部の脱気を行う。十分に脱気を行ったら、脱気口４を閉じて掃除機８を取り外す（図２参照）。
【００４８】
しばらくは、内部の空気がほとんど無い状態になっているので、密閉した状態で置いておく。遺体６からガスが発生し、袋本体２が膨らんできたら活性炭筒５を開いて内部のガスを排出する。この時に、内部のガスは活性炭筒５を通ることにより臭気強度が下げられた状態で外部に排出される。このように、活性炭筒５により内部のガスの臭気は外に漏れることは無くなる。
【００４９】
さらに遺体６の腐敗を抑制するために、袋本体２の中に保冷剤をいれることもできる。特に夏場の遺体６の腐敗が早い時期には、保冷剤を適量用いることにより、効果的に遺体６の腐敗を抑制することができる。
【００５０】
本発明の効果を確認するために試料動物としてハムスター（ブルーサファイアハムスター、オス、約５０ｇ）を用いて、臭気発生及び腐敗の状況を調べるための実験を行った。
【００５１】
試料動物（ハムスター）１３を１０Ｌ容器に入れ、容器内に窒素を注入し絶命させる。この試料動物を５匹用意する。上記５匹の試料動物を用いて５種類の条件で実験を行う。各実験では以下の条件を共通として行う。
１．試料動物１３を脱気口４を設けた１Ｌテドラーバッグ（袋本体）１１に入れヒートシールにより密閉する。
２．１Ｌテドラーバッグ１１をさらに５Ｌテドラーバッグ１２に入れ、５Ｌテドラーバッグ１２に設けた排出口１４より内部のガスを吸引排出し密閉する。
３．５Ｌテドラーバッグ１２を、温度／湿度測定機とともに発泡スチロール製の箱に入れ、日光および風雨が当らない屋外環境で保存する。
４．１週間後に、５Ｌテドラーバッグ１２の内部（１Ｌテドラーバッグ１１の外部）に１Ｌの空気を入れ、この希釈ガスの臭気成分（アンモニア、メチルメルカプタン、硫化水素）の濃度を検知管で測定するとともに、試料動物１３の外観の変化を調べる。
【００５２】
上記条件以外に、アルコール揮散剤１０および脱酸素剤９の有無、活性炭筒５による活性炭吸着の有無、脱気口４による脱気の有無の３種類の条件の組合わせにより５種類の設定（比較例１〜４、実施例１）について説明する。
【比較例１】
【００５３】
比較例１は、上記１〜５の条件のみで実験を行う。つまり、試料動物１３から発生するガスに対して全く処理を行わないで、臭気成分の測定および外観の変化を調べる。
【比較例２】
【００５４】
比較例２は、上記１〜５の条件に加えて、条件２の１Ｌテドラーバッグ１１を密閉した後に、１Ｌテドラーバッグ１１のシートが完全に試料動物１３に密着しない程度に、脱気口４により内部の空気を吸引し脱気を行う。つまり、比較例１に脱気を加えたものとなる。
【比較例３】
【００５５】
比較例３は、比較例２の１Ｌテドラーバッグ１１内部の脱気を行う前に、条件１の試料動物１３を、脱気口４を設けた１Ｌテドラーバッグ１１に入れヒートシールにより密閉する際、腐敗抑制剤としてアルコール揮散剤１０および脱酸素剤９を試料動物１３とともに１Ｌテドラーバッグ１１に入れておく。つまり、比較例１にアルコール揮散剤１０および脱酸素剤９を加え脱気を行ったものとなる。
【比較例４】
【００５６】
比較例４は、１Ｌテドラーバッグ１１に設けられた脱気口４による脱気に加え、１Ｌテドラーバッグ１１に活性炭筒５を取り付けて、試料動物１３から発生するガスの活性炭吸着を行う。活性炭筒５には活性炭として、酸性ガス用、塩基性ガス用、中性ガス用活性炭の３種類を用いている。比較例４は、比較例２に、活性炭筒５による活性炭吸着を加えたものとなる。
【実施例１】
【００５７】
実施例１は、本発明の有機体収納袋の実施例であり、比較例１〜４の条件を全て満たしたものとなる。つまり、腐敗抑制剤としてアルコール揮散剤１０および脱酸素剤９を試料動物１３とともに１Ｌテドラーバッグ１１に入れてから、１Ｌテドラーバッグ１１の密閉を行い脱気口４により脱気を行う。そして活性炭筒５により試料動物１３から発生するガスの活性炭吸着を行う。従って、実施例１は、比較例１に、アルコール揮散剤１０および脱酸素剤９を用い、脱気口４による内部のガスの脱気及び活性炭筒５による活性炭吸着を行ったものとなる。この実験の概略図を図６に示す。
【００５８】
上記実験条件を整理し、表にすると以下の表１となる。
【００５９】
【表１】
2007111498.tif 000004
【００６０】
この実験を行った７日間の温度及び湿度の変化を表にすると以下の表２となる。
【００６１】
【表２】
2007111498.tif 000005
【００６２】
この表２から、この実験が行われたのは特に試料動物の腐敗が進行し臭気が発生しやすい高温、多湿の条件であることがわかる。
【００６３】
次に、７日後の希釈ガスの臭気成分（アンモニア、メチルメルカプタン、硫化水素）の濃度を検知管で測定した結果を以下の表３に示す。
【００６４】
【表２】
2007111498.tif 000006
【００６５】
以上の実験結果より、臭気抑制対策を全く行っていない比較例１に対し、何らかの臭気抑制対策を行っている比較例２〜４は、臭気成分の低減効果は認められる。しかし、比較例２〜４では、全ての臭気成分を十分に低下させるものではない。これに対し、実施例１においては、全ての臭気成分が検出下限値以下となっており、臭気抑制が十分に行われていることが確認できる。
【００６６】
従って、本発明のように、アルコール揮散剤および脱酸素剤を用い、脱気を行い、発生する臭気ガスを活性炭吸着させる全ての条件を満たすことにより、臭気抑制に十分な効果を発揮することがわかる。
【００６７】
次に、外観の変化について比較を行う。各実験の７日後の外観を図７に示す。（ａ）が比較例１、（ｂ）が比較例２、（ｃ）が比較例３、（ｄ）が比較例４、（ｅ）が実施例１の外観の写真である。
【００６８】
比較例１の外観は、液状物が試料動物１３から多量に生成され、外観を判別するのが困難になっている。比較例２および３の外観は、液状物が試料動物１３から多量に生成され、外観が判別しにくくなっている。比較例４の外観は、試料動物１３から少量の液状物が生成されているが、外観の判別は可能である。実施例１の外観は、液状物の生成は見られず、十分に外観の判別が可能である。
【００６９】
以上から、比較例１〜３では腐敗の抑制は全くされておらず、外観の判別が困難であることがわかる。比較例４では、外観の判別は可能であるが、液状物の生成が見られ、腐敗の抑制が十分ではない。これに対し、実施例１では、液状物の生成も見られず、外観の判別も十分に可能であることから、本発明の目的とする腐敗の抑制が十分に達成されている。
【００７０】
この実験から、本発明の有機体収納袋は、有機体からの臭気の発生および腐敗の抑制に対し、十分な効果を有していることが示された。
【図面の簡単な説明】
【００７１】
【図１】本発明の有機体収納袋の概略平面図。
【図２】本発明の有機体収納袋の斜視図。
【図３】顔収納部を有する有機体収納袋の斜視図
【図４】遺体を入れようとしている状態の有機体収納袋の斜視図。
【図５】遺体を入れ掃除機にて脱気している状態の有機体収納袋の斜視図。
【図６】実施例１の概略図。
【図７】実験後の試料動物の外観の変化を表す写真。（ａ）が比較例１、（ｂ）が比較例２、（ｃ）が比較例３、（ｄ）が比較例４、（ｅ）が実施例１の外観をあらわす。
【図８】（ａ）開口を袋本体の上面中央部に設けた場合の有機体収納袋の斜視図であり、（ｂ）袋本体の上面中央に設けられた開口を開いた状態の有機体収納袋の斜視図。
【符号の説明】
【００７２】
１    有機体収納袋
２    袋本体
３    開口
４    脱気口
５    活性炭筒
６    遺体
７    顔収納部
８    掃除機
９    脱酸素剤
１０  アルコール揮散剤
１１  １Ｌのテドラーバッグ
１２  ５Ｌのテドラーバッグ
１３  試料動物
１４  排出口
【図１】
2007111498.tif 000007
【図２】
2007111498.tif 000008
【図３】
2007111498.tif 000009
【図４】
2007111498.tif 000010
【図５】
2007111498.tif 000011
【図６】
2007111498.tif 000012
【図７−ａ】
2007111498.tif 000013
【図７−ｂ】
2007111498.tif 000014
【図７−ｃ】
2007111498.tif 000015
【図７−ｄ】
2007111498.tif 000016
【図７−ｅ】
2007111498.tif 000017
【図８】
2007111498.tif 000018